(57)【要約】【課題】 固定枠を壁等に取付けたまま、パネル保持枠の固定枠に対する相対移動によってパネル保持枠を固定枠から取外し且つ固定枠に取付けることができるフレームユニットを提供すること。【解決手段】固定枠と、該固定枠に取付手段を介して取付けられ且つパネルを保持するようにしたパネル保持枠とを備え、前記取付手段は、前記パネル保持枠の固定枠に対する相対移動によって前記パネル保持枠を前記固定枠から取外し且つ該固定枠に取付けることができるように構成され、且つ前記パネル保持枠には、該パネル保持枠を前記固定枠から取外すための補助具が結合される被結合手段が設けられており、前記補助具の先端に設けた左右１対のフック部と、前記被結合手段に設けた前記フック部を装着する係合部とを備えていることを特徴とするフレームユニット。【選択図】 図５
2011218068.tif 000002
【特許請求の範囲】
【請求項１】
固定枠と、該固定枠に取付手段を介して取付けられ且つパネルを保持するようにしたパネル保持枠とを備え、前記取付手段は、前記パネル保持枠の固定枠に対する相対移動によって前記パネル保持枠を前記固定枠から取外し且つ該固定枠に取付けることができるように構成され、且つ前記パネル保持枠には、該パネル保持枠を前記固定枠から取外すための補助具が結合される被結合手段が設けられており、前記補助具の先端に設けた左右１対のフック部と、前記被結合手段に設けた前記フック部を装着する係合部とを備えていることを特徴とするフレームユニット。
【請求項２】
前記取付手段は、前記パネル保持枠の第一の縁が挿入可能に前記固定枠に設けられた第一の溝と、前記パネル保持枠の第二の縁が挿入可能に前記固定枠に設けられた第二の溝とを有し、該取付手段は、前記パネル保持枠の第一の縁が前記固定枠の第一の溝の底まで挿入されたとき前記第二の縁を前記第二の溝から脱落させ且つ前記第一の縁を前記第一の溝から外すことができる取外し位置と、前記パネル保持枠の第一の縁が前記固定枠の第一の溝の底まで挿入され且つ前記第二の縁が前記第二の溝内に挿入されたとき前記第一の縁および第二の縁を前記第一の溝および第二の溝内にそれぞれ挿入することができる取付け位置とを有することを特徴とする請求項１記載のフレームユニット。
【請求項３】
前記補助具は、シャフトと、該シャフトの一端に設けられ前記パネル保持枠の被結合手段に結合可能な左右１対のフック部を備えていることを特徴とする請求項１記載のフレームユニット。
【発明の詳細な説明】
【技術分野】
【０００１】
本発明は、広告や掲示事項等を表示するパネル、書画や写真等を容易に交換することができるフレームユニットに関するものである。
【背景技術】
【０００２】
一般に、広告事項等を表示するパネルを交換可能に取付けるようにした額が知られている。この種の額の一例では、上記の如きパネルを、上下、左右フレームを有する額縁本体に着脱自在に取付けるようにしている（例えば、特許文献１参照）。
【０００３】
この額では、パネルは、額縁本体の上下、左右フレームに設けられた溝に弾性体を介して挿入される。また、この額では、額縁本体の裏側に設けられた開口を通してパネルを取外し且つ取付けるようにしている。
【０００４】
また他の例では、パネルを、複数の辺部分から形成された外枠部材に複数の押さえ部材を介して取り付けるようにした額が知られている（例えば、特許文献２参照）。この額では、パネル交換時、上記複数の辺部分を移動し且つ上記押さえ部材を外枠部材から取外すことによってパネルを外枠部材から取外すようにしている。
【０００５】
しかしながら、上記特許文献１に開示された額では、パネルは、額縁本体の裏側から取外すようになっているため、パネルの交換時には額縁本体を壁等から取外し、この取外された額縁本体から更にパネルを取外すという作業が必要であった。また、この額では、パネルが上下、左右フレームに設けられた溝の中に弾性部材を介して挿入するようにして額縁本体に保持されるため額縁本体の構造が複雑であると共に、パネルの取付けおよび取外し作業が面倒であるという問題があった。
【０００６】
また、上記特許文献２に開示された額では、パネル交換時、複数の辺部分を移動し且つ押さえ部材を外枠部材から取外すことによってパネルを外枠部材から取外すようにしているため、パネルの交換作業がきわめて煩雑であるという問題があった。
【０００７】
そこで本発明者は、固定枠と、この固定枠に取付手段を介して取外し可能に固定され且つパネルを保持可能なパネル保持枠とを備え、上記取付手段は、パネル保持枠の固定枠に対する相対移動によってパネル保持枠を固定枠から取外し且つ固定枠に取付けることができるように構成され、且つパネル保持枠は、固定枠から取外すための補助具が結合される被結合手段を有するフレームユニットを特許第３９９３６３１号公報（特許文献３参照）において提案した。
【先行技術文献】
【特許文献】
【０００８】
【特許文献１】特開平７−２６５１８３号公報
【特許文献２】特開２００４−１６３４０号公報
【特許文献３】特許第３９９３６３１号公報
【発明の概要】
【発明が解決しようとする課題】
【０００９】
しかしながら、本発明者の提案による特許第３９９３６３１号公報（特許文献３参照）のフレームユニットにおいては、固定枠から取外すための補助具と、これを結合する被結合手段を有するパネル保持枠とが単一の突起でのみ連結されるため、パネル保持枠の固定枠への取付操作が不確実となるという欠点があった。
また、本発明者の提案による特許第３９９３６３１号公報（特許文献３参照）のフレームユニットにおいては、前記被結合手段として磁石が用いられており、パネル保持枠への磁石の取付等の手間がかかり、構造が複雑となってコストアップの原因となるという問題点があった。
【００１０】
そこで、本発明の目的は、パネル保持枠の固定枠に対する相対移動によってのみパネル保持枠を固定枠から取外し且つ取付けることができるようにして、パネル交換時の煩雑さをさらに回避し、かつ構造を簡略化してコストを低減するようにしたフレームユニットを提供することである。
【課題を解決するための手段】
【００１１】
すなわち本発明のフレームユニットは、固定枠と、該固定枠に取付手段を介して取付けられ且つパネルを保持するようにしたパネル保持枠とを備え、前記取付手段は、前記パネル保持枠の固定枠に対する相対移動によって前記パネル保持枠を前記固定枠から取外し且つ該固定枠に取付けることができるように構成され、且つ前記パネル保持枠には、該パネル保持枠を前記固定枠から取外すための補助具が結合される被結合手段が設けられており、前記補助具の先端に設けた左右１対のフック部と、前記被結合手段に設けた前記フック部を装着する係合部とを備えていることを特徴とするものである。
【００１２】
本発明のフレームユニットは、前記取付手段は、前記パネル保持枠の第一の縁が挿入可能に前記固定枠に設けられた第一の溝と、前記パネル保持枠の第二の縁が挿入可能に前記固定枠に設けられた第二の溝とを有し、該取付手段は、前記パネル保持枠の第一の縁が前記固定枠の第一の溝の底まで挿入されたとき前記第二の縁を前記第二の溝から脱落させ且つ前記第一の縁を前記第一の溝から外すことができる取外し位置と、前記パネル保持枠の第一の縁が前記固定枠の第一の溝の底まで挿入され且つ前記第二の縁が前記第二の溝内に挿入されたとき前記第一の縁および第二の縁を前記第一の溝および第二の溝内にそれぞれ挿入することができる取付け位置とを有することをも特徴とするものである。
【００１３】
本発明のフレームユニットは、前記補助具は、シャフトと、該シャフトの一端に設けられ前記パネル保持枠の被結合手段に結合可能な左右１対のフック部を備えていることをも特徴とするものである。
【発明の効果】
【００１４】
本発明の上記構成によれば、固定枠と、この固定枠に取付けられるパネル保持枠と、パネル保持枠を固定枠に取付けるための取付手段との構成が簡易であり且つこの固定枠を取付位置に固定したまま、パネル保持枠の固定枠に対する相対移動のみによってパネル保持枠を固定枠から取外し且つ固定枠に取付けることができ、パネル交換時の煩雑さを回避し、かつ構造を簡略化してコストを低減するようにしたフレームユニットを提供することができる。
【図面の簡単な説明】
【００１５】
【図１】本発明に係るフレームユニットの一実施例を示す正面図である。
【図２】図１に示されたフレームユニットの斜視図である。
【図３】図１に示されたフレームユニットのIII−III線断面図である。
【図４】パネル保持枠を固定枠から取外すために使用される補助具の斜視図である。
【図５】補助具をパネル保持枠に係合させている状態を示す断面図である。
【図６】補助具によってパネル保持枠を固定枠から取外している状態を示す一部断面図である。
【発明を実施するための形態】
【００１６】
以下、本発明を実施するための形態について図面を参照して詳細に説明する。
図１ないし図３は、本発明に係るフレームユニットの一実施例を示す。このフレームユニット１は、図示の実施例では、例えば、額や広告板として形成されている。このフレームユニット１は、任意の壁（図示せず）に固定される固定枠２と、この固定枠２に取付手段３を介して取外し可能に固定されるパネル保持枠４とを備えている。
【００１７】
前記固定枠２は、図示されるように、例えば所定の厚さを有する矩形の形状を有する。この固定枠２は、アルミニウム等の軽金属やプラスチック、木材など任意の材料から作られるのが好ましい。
【００１８】
前記パネル保持枠４は、図３に示すように、所定の厚さを有する矩形状のベース５と、このベース５に重ねて配置されたカバー６とを有する。これらベース５とカバー６との間にパネル７が配置され、このパネル７は、例えば、所定の大きさおよび厚さを有するシートから形成され、広告事項や掲示事項、書画や写真（図示せず）等が記載されている。カバー６は、例えば、可撓性を有し、パネル７に記載された広告事項等が外部から見えるように透明であり、その一端、例えば、下端がベース５に適宜の手段によって固定されている。従って、カバー６は、その上端部がベース５から離れた開位置とベース５に接触する閉位置との間に移動することができる。パネル７は、カバー６の開位置において、このパネル７をベース５上に配置し、次いで、カバー６を閉位置にもたらすことよってベース５とカバー６との間に保持される。
【００１９】
前記カバー６は、ヒンジ状にベース５に取り付けたり、ベース５に設けた左右の溝にスライド式に脱着できるようにして、パネル７を簡易かつ迅速に前記パネル保持枠４内に収納できるようにすることが望ましい。
【００２０】
上記パネル保持枠４は、プラスチック成形品によって作られるのが好ましい。また、パネル保持枠４は、固定枠２の正面に設けられた開口１１を通して固定枠２内に配置され、あるいは固定枠２から取外すことができる。なお、パネル保持枠４の上端及び下端には、固定枠２に配置することなく、壁面などに直接パネル保持枠４を固定するための取付孔を複数設けておくことができる。
【００２１】
取付手段３は、パネル保持枠４の第一の縁、例えば上縁１２が挿入可能に固定枠２に設けられた第一の溝１３と、パネル保持枠４の第二の縁、例えば、下縁１４が挿入可能に固定枠２に設けられた第二の溝１５とを有する。
【００２２】
ここで、取付手段３は、パネル保持枠４の上縁１２が固定枠２の第一の溝１３の底まで挿入されたとき下縁１４を第二の溝１５から脱落させ、且つ上縁１２を第一の溝１３から外すことができる取外位置（図７に示す状態）と、パネル保持枠４の上縁１２が固定枠２の第一の溝１３の底まで挿入され、且つ下縁１４が第二の溝１５内に挿入されたとき上縁１２および下縁１４を第一の溝１３および第二の溝１５内にそれぞれ挿入することができる取付位置（図５に示す状態）とを有する。換言すると、パネル保持枠４の上下方向の寸法Ｈ（図３参照）は、開口１１の上下方向の寸法Ｐより若干大きく設定されているが、第一の溝１３の底から第二の溝１５の底までの距離Ｄは、パネル保持枠４の上下方向の寸法Ｈより大きく設定されており、パネル保持枠４を上方に押し上げたとき、パネル保持枠４の下端が開口１１から露出してこのパネル保持枠４を固定枠２の第一および第二の溝１３、１５内から引き出すことができるように設定されている。なお、パネル保持枠４の左右方向の寸法、換言すると、パネル保持枠４の幅Ｗは、固定枠２の開口１１の幅ｗより小さく設定されている（図１参照）。
【００２３】
上述の構成を有する取付手段３によって、固定枠２が固定された状態において、パネル保持枠４の固定枠２に対する相対移動、詳細には上下方向の移動のみによってパネル保持枠４を固定枠２から取外し且つ固定枠２に取付けることができる。なお、固定枠２の第一の溝１３内に複数のコイルバネやスポンジなどのクッション材１６を入れておくことでパネル保持枠４の保持を安定させ、地震などの際にパネル保持枠４のガタ付きを確実に防ぐことができる。
また、図３において１７は、固定枠２の内側の下部に前面に向けて押出すように保持された押出し板で、その背面には固定枠２の内側との間に板バネ１８、コイルバネ等が介装されており、常に前面に向けて付勢されている。１９は前記押出し板１７の上部を保持する押え板である。
【００２４】
本発明において特徴的な点は、パネル保持枠４を固定枠２から取外しあるいは取付けるために補助具２０が用いられることである。この補助具２０は、パネル保持枠４に取外し可能に結合されるものであり、図４に示すように、例えば、細長いシャフト２１と、このシャフト２１の一端に設けられた把手（図示せず）と、シャフト２１の他端に設けられた結合手段２２とを有する。シャフト２１は複数段の構成になっており、締付け部材３５を緩めることで伸縮自在となり、壁面に固定される固定枠２の高さ位置に対応できるようになっている。また、結合手段２２は、パネル保持枠４に設けられた被結合手段２３に結合可能である（図５および図６参照）。
【００２５】
更に詳細に述べると、結合手段２２は図４に示すように、例えば、レバー２４の他端、即ち、上端に設けられた左右１対のフック部３１を更に備え、被結合手段２３は、このフック部３１が挿入することができるようにパネル保持枠４に設けられたフック部を装着する左右１対の差込孔３２からなる係合部を備えている。この差込孔３２は、例えば、図３に示すように、カバー６の上端に設けられた庇部３３の略中央部に設けられている。なお、符号３４は、フック部３１の近くでレバー２６に取り付けられたパッドを示す（図４参照）。このパッド３４は、図６に示すように、フック部３１がカバー６の上端から前方に突き出た庇部３３の差込孔３２の中に挿入されたとき、パネル保持枠４の表面に接触してこのパネル保持枠４を保護する。
【００２６】
なお、上記の補助具２０は、シャフト２１に対して結合手段２２の傾斜角度を変えることができるように構成することができる。
【００２７】
次に、上記フレームユニット１の使用方法を説明する。
先ず、固定枠２からパネル保持枠４を取外す場合について説明する。図５に示すように、パネル保持枠４が固定枠２内に挿入された取付位置から補助具２０の突起３１をパネル保持枠４の差込孔３２に挿入する。次いで、補助具２０によってパネル保持枠４を若干押し上げて、パネル保持枠４の下縁１４を固定枠２の第二の溝１５から引き出し、さらに補助部２０でパネル保持枠４を支えた状態からパネル保持枠４の上縁１２を固定枠２の第一の溝１３から引き出すことで、パネル保持枠４が開口１１を通して固定枠２から取外される（図６参照）。取外されたパネル保持枠４からは上記した要領でパネル７を引き出し、新しいパネルに取り替える。
【００２８】
次に固定枠２にパネル保持枠４を取付ける場合を図５及び図６に基づいて説明する。この場合には新しいパネルがセットされたパネル保持枠４に補助具２０を結合する。この結合は取外し時と同様、補助具２０の突起３１をパネル保持枠４の差込孔３２に挿入する。補助具２０に結合されたパネル保持枠４を固定枠２の開口１１側から第一および第二の溝１３、１５内に挿入する。この場合、先ず、パネル保持枠４の上端１２を第一の溝１３内に差し込み、上端１２がクッション材１６を押し潰して第一の溝１３の底に当接するまでパネル保持枠４を押し上げ、パネル保持枠４の下端１４が開口１１内に入ったならパネル保持枠４を第二の溝１５の底に落とし、パネル保持枠４の上下端１２，１４を固定枠２の第一及び第二の溝１３，１５にそれぞれ嵌め入れたのち、補助具２０をパネル保持枠４から取外す。取外す際には、シャフト２１を引き下げて差込孔３２から突起３１を引き抜くにより補助具２０を容易に取外すことができる。このようにして新しいパネル７が装着されたパネル保持枠４を固定枠２に収容することができる。
【産業上の利用可能性】
【００２９】
以上、本発明の代表的な実施例について述べてきたが、本発明は上記実施例に限定されず、種々の変形および変更が上記実施例になされ得ることを留意されたい。
ちなみに、パネル保持枠として例えば厨房のグリスフィルターの保持枠等にも適用することができる。
【符号の説明】
【００３０】
１  フレームユニット
２  固定枠
３  取付手段
４  パネル保持枠
５  ベース
６  カバー
７  パネル
１１  開口
１２  上縁
１３  第一の溝
１４  下縁
１５  第二の溝
１６  クッション材
１７  押出し板
１８  板バネ
１９  押え板
２０  補助具
２１  シャフト
２２  結合手段
２３  被結合手段
２４  レバー
３１  フック部
３２  差込孔
３３  庇部
３４  パッド
３５  締付け部材
【図１】
2011218068.tif 000003
【図２】
2011218068.tif 000004
【図３】
2011218068.tif 000005
【図４】
2011218068.tif 000006
【図５】
2011218068.tif 000007
【図６】
2011218068.tif 000008